(57)【要約】【課題】塗布幅の規制ができ、塗布液が支持体裏面へ回り込む裏回りや液はねの防止ができるバー塗布方法を提供する。【解決手段】走行する帯状の支持体１６に、支持体の幅方向に平行なスロット先端から押し出した塗布液を塗工用バーを介して転移塗布するバー塗布方法。塗工用バー１２に対し、支持体１６の走行方向上流側の支持体の幅方向両端部近傍にプレ塗布装置を設け、プレ塗布装置により、支持体の幅方向両端部よりそれぞれ所定距離内側に塗布液と同一の液体を塗布してプレ塗布層Ｐを形成し、プレ塗布層形成後に、支持体の幅方向の両プレ塗布層の内側部分に塗布液を塗工用バーを介して転移塗布する。【選択図】  図４
2006081996.tif 000002
【特許請求の範囲】
【請求項１】
走行する帯状の支持体に、該支持体の幅方向に平行なスロット先端から押し出した塗布液を塗工用バーを介して転移塗布するバー塗布方法において、
前記塗工用バーに対し、前記支持体の走行方向上流側の前記支持体の幅方向両端部近傍にプレ塗布装置を設け、該プレ塗布装置により、前記支持体の幅方向両端部よりそれぞれ所定距離内側に前記塗布液と同一の液体を塗布してプレ塗布層を形成し、
該プレ塗布層形成後に、前記支持体の幅方向の前記両プレ塗布層の内側部分に前記塗布液を塗工用バーを介して転移塗布することを特徴とするバー塗布方法。
【請求項２】
前記プレ塗布装置の液吐出部が管状部材よりなる請求項１に記載のバー塗布方法。
【請求項３】
前記塗工用バー通過直後の前記プレ塗布層の幅が３ｍｍ以下である請求項１又は２に記載のバー塗布方法。
【請求項４】
前記プレ塗布層の乾燥後の膜厚が、前記塗工用バーを介して転移塗布された塗布液の乾燥後の膜厚の２倍以下である請求項１〜３のいずれか１項に記載のバー塗布方法。
【発明の詳細な説明】
【技術分野】
【０００１】
本発明はバー塗布方法に係り、特に、走行する帯状の支持体に塗工用バーを用いて塗布液を塗布するのに好適なバー塗布方法に関する。
【背景技術】
【０００２】
写真感光材料や磁気記録媒体は、連続走行する帯状の支持体（以下、「ウェブ」という）上に磁性液等の所定の塗布液を塗布して塗布膜を形成する塗布工程を経て製造される。特に、磁気記録テープ等の磁気記録媒体は、近年、放送用やコンピュータ用として急速に容量、記録密度が向上しており、膜厚が極薄く、膜厚分布が均一であり、かつ表面が平滑な磁性層を得ることのできる塗布技術が求められている。
【０００３】
その他、光学補償フィルム、反射防止フィルム、防眩性フィルム等の光学フィルム等の製造にもこのような塗布技術が求められている。
【０００４】
このような市場の要求に対応できる塗布装置の一種として、従来よりバー塗布装置が使用されている。このバー塗布装置は、丸棒状のロッドである塗工用バーを備え、走行するウェブに、このウェブの幅方向に平行なスロット先端から押し出した塗布液を塗工用バーを介して転移塗布するもので、簡単な装置構成でしかも薄層塗布が可能なことから広く用いられている。
【０００５】
このようなバー塗布装置において、ウェブ幅全体に塗布液を全幅塗布しようとすると、ウェブ裏面への塗布液の回りこみ（以下、「裏回り」という）や、ウェブ幅方向端部において塗布液がはねる（以下、「液はね」という）が発生し、塗布後にウェブを搬送する搬送ローラ等の工程汚染を発生させてしまうという問題点が従来より指摘されている。
【０００６】
この対策として、従来より各種の提案がなされている（特許文献１、２等。）。このうち特許文献１の提案は、ウェブ裏面のはみ出し下塗り層部分が接触しない部分に剥離層を形成し、はみ出し下塗り層部分のウェブ裏面への接着を妨げ、ブロッキング故障を防止する構成のものである。
【０００７】
特許文献２の提案は、バー塗布装置の上流側に注射器を設け、ウェブの非塗布部に塗布液の溶媒と同種の溶媒を塗布し、その後、ウェブの略全幅に塗布液を塗布する構成のものである。これにより、バー塗布装置において、ウェブの非塗布部に塗布液は付着せず、裏回りが防げる効果が得られるとされている。
【特許文献１】特開２００２−１６３８２２号公報
【特許文献２】特開平７−１５５６８０号公報
【発明の開示】
【発明が解決しようとする課題】
【０００８】
しかしながら、特許文献１、２で提案されているような構成のものであっても、裏回りや液はねを完全に排除することが困難であるのが現状である。
【０００９】
以下、図８により裏回り、液はねについて説明する。図８の（Ａ）、（Ｂ）及び（Ｃ）は、いずれも、バー１２により矢印の方向に搬送されるウェブ１６に塗布液を塗布して塗布層Ｃを形成している状態を示す部分拡大図（ウェブ１６の左端部近傍）である。
【００１０】
ウェブ端部１６Ａの近傍には、ダミー塗布液が塗布され、ダミー塗布層Ｄが形成されている。このダミー塗布層Ｄとこの外側部分の未塗布のウェブ１６は、製品として使用できない耳Ｒである。
【００１１】
図８において、（Ａ）から（Ｃ）に行くに従い、ダミー塗布層Ｄをウェブ端部１６Ａに近づけて形成しており、これにより耳Ｒの幅も小さくなっていく。ところが、（Ｃ）のようにダミー塗布層Ｄがウェブ端部１６Ａに近づいて形成される場合には、液はねや裏回りとなりやすい。一方、（Ａ）のようにプレ塗布層Ｄがウェブ端部１６Ａから離れて形成される場合には、液はねや裏回りは生じにくいが、耳Ｒの幅が大きくなり、素材歩留りが悪い。
【００１２】
更に、バー塗布装置を使用した薄膜塗布の場合、塗布幅の規制が困難であるという問題点も指摘されている。すなわち、近年、バー塗布装置を使用して、膜厚が極薄く、膜厚分布が均一であり、かつ表面が平滑な磁性層を得るために、塗工用バーの先端部分における塗布液の圧力を高くする傾向にある。この場合、塗布幅の規制が困難となる。
【００１３】
これに対し、特許文献１の提案によるのみでは、これまで以上に精度のよい塗布幅規制が求められている現状のもとでは、裏回りや液はねを完全に排除することが困難な場合が多い。
【００１４】
また、特許文献２の提案によっても、ウェブの非塗布部に塗布液の溶媒と同種の溶媒を塗布するのみであり、塗布液の圧力が高い状態では、この溶媒が高い圧力の塗布液に押しのけられ、塗布幅の規制ができなくなる。
【００１５】
本発明は、このような事情に鑑みてなされたもので、塗布幅の規制ができ、塗布液が支持体裏面へ回り込む裏回りや液はねの防止ができるバー塗布方法を提供することを目的とする。
【課題を解決するための手段】
【００１６】
本発明は、前記目的を達成するために、走行する帯状の支持体に、該支持体の幅方向に平行なスロット先端から押し出した塗布液を塗工用バーを介して転移塗布するバー塗布方法において、前記塗工用バーに対し、前記支持体の走行方向上流側の前記支持体の幅方向両端部近傍にプレ塗布装置を設け、該プレ塗布装置により、前記支持体の幅方向両端部よりそれぞれ所定距離内側に前記塗布液と同一の液体を塗布してプレ塗布層を形成し、該プレ塗布層形成後に、前記支持体の幅方向の前記両プレ塗布層の内側部分に前記塗布液を塗工用バーを介して転移塗布することを特徴とするバー塗布方法を提供する。
【００１７】
本発明によれば、支持体の幅方向両端部よりそれぞれ所定距離内側に前記塗布液と同一の液体を塗布してプレ塗布層を形成し、このプレ塗布層形成後に、両プレ塗布層の内側部分に塗布液を塗布するので、塗布幅の規制が良好に行え、また、塗布液が支持体裏面へ回り込む裏回りや液はねの防止もできる。
【００１８】
すなわち、本発明は、小児が塗り絵や写生をする際に、輪郭部分からクレヨン等を塗って縁取りし、その後、内側部分にクレヨン等を塗ることにより、はみ出し塗りを防止するのと同様の発想よりなされてものである。
【００１９】
このように、縁取りがなされ、また、プレ塗布層の上に塗布液が塗布される訳ではないので、プレ塗布層の液体が、高い圧力の塗布液に押しのけられ、塗布幅の規制ができなくなるという不具合は生じない。また、プレ塗布層も支持体の両端部より所定距離内側に形成されるので、液はねや裏回りとなることが防止できる。
【００２０】
更に、プレ塗布層が塗布液と同一の液体であるので、このプレ塗布層も製品として使用でき、耳幅が小さくなり、素材歩留りが向上する。
【００２１】
なお、プレ塗布装置としては、特に制限がないが、バーコータ、グラビアコータ（ダイレクトグラビアコータ、グラビアキスコータ等）、ロールコータ（トランスファロールコータ、リバースロールコータ等）、ダイコータ、エクストルージョンコータ、ファウンテンコータ、注射器、又はスライドホッパ等が採用できる。
【００２２】
本発明において、前記プレ塗布装置の液吐出部が管状部材よりなることが好ましい。注射器や、ディスペンサー（マイクロシリンジ）のような液吐出部が管状部材よりなるプレ塗布装置であれば、前記塗布液と同一の液体の供給を安定して行えるうえに、プレ塗布層の幅を小さくでき、耳幅が小さくなり、素材歩留りが向上する。
【００２３】
また、本発明において、前記塗工用バー通過直後の前記プレ塗布層の幅が３ｍｍ以下であることが好ましい。このようなプレ塗布層の幅であれば、耳幅が小さくなり、素材歩留りが向上する。
【００２４】
また、本発明において、前記プレ塗布層の乾燥後の膜厚が、前記塗工用バーを介して転移塗布された塗布液の乾燥後の膜厚の２倍以下であることが好ましい。このような膜厚のプレ塗布層であれば、塗布幅の規制が良好に行え、また、塗布液が支持体裏面へ回り込む裏回りや液はねの防止もできる。更に、このプレ塗布層も製品として使用でき、耳幅が小さくなり、素材歩留りが向上する。
【発明の効果】
【００２５】
以上説明したように、本発明によれば、塗布幅の規制が良好に行え、また、塗布液が支持体裏面へ回り込む裏回りや液はねの防止もできる。
【発明を実施するための最良の形態】
【００２６】
以下、添付図面により、本発明に係るバー塗布方法の好ましい実施の形態について詳説する。図１は、本発明に係るバー塗布方法が適用される磁気記録媒体の塗布ラインの構成図である。
【００２７】
磁気記録媒体の塗布ラインは、図１に示されるように、送り出し機６６から帯状の可撓性支持体であるウェブ１６が送り出されるようになっている。ウェブ１６はガイドローラ６８によってガイドされてプレ塗布装置７０に送りこまれるようになっている。プレ塗布装置７０は、ウェブ１６の幅方向両端部近傍に塗布液と同一の液体を塗布してプレ塗布層を形成するために設けられるもので、２個の注射器（図示では１個）よりなる。
【００２８】
このプレ塗布層の液体としては、塗布液の溶媒と同一の液体とすることもでき、他の種類の液体を選択することもできるが、塗布液と同一の液体とし、プレ塗布層の乾燥後の厚さを塗布液の乾燥後の膜厚の２倍以下とするならば、プレ塗布層の部分も製品として利用でき、素材歩留りが向上する。
【００２９】
また、プレ塗布層の幅を３ｍｍ以下、好ましくは２ｍｍ以下、より好ましくは１ｍｍ以下にすれば、プレ塗布層の部分を製品として利用しない場合であっても、耳Ｒの幅（図８参照）を小さくでき、素材歩留りが向上する。
【００３０】
プレ塗布装置７０の下流にはバー塗布装置１０が設けられており、磁気記録媒体を含む塗布液がウェブ１６に塗布できるようになっている。この下流には、乾燥ゾーン７６、加熱ゾーン７８が順次設けられており、ウェブ１６が乾燥処理されるようになっている。そして、この下流に設けられた巻取り機８２により、塗布膜が形成されたウェブ１６が巻き取られるようになっている。
【００３１】
図２は、本発明に使用されるバー塗布装置１０の一例を示す断面図であり、図３はバー塗布装置の一部を切り欠いて内部が見えるようにした斜視図である。図２及び図３に示されるように、バー塗布装置１０は、主として、塗布ヘッド１４と、バー１２に近接走行するようにウェブ１６をガイドする一対のガイドローラ１８、１８とで構成される。
【００３２】
塗布ヘッド１４は、主として、バー１２と、バー１２を回転自在に支持するバックアップ部材２０と、コーターブロック２２、２４と、サイドブロック２１、２３（図３参照）から構成される。バックアップ部材２０と各コーターブロック２２、２４との間には、マニホールド２６、２８及びスロット３０、３２が形成され、各マニホールド２６、２８に塗布液が供給される。
【００３３】
各マニホールド２６、２８に供給された塗布液は、ウェブ１６の幅方向に平行でウェブ走行方向に狭隘なスロット３０、３２を介してウェブ１６の幅方向に均一に押し出される。これにより、バー１２に対してウェブ１６の送り方向の上流側（以下、「１次側」という）には１次側塗布ビード３４が形成され、下流側（以下、「２次側」という）に２次側塗布ビード３６が形成される。したがって、バー１２はこれらの塗布ビード３４、３６を介して走行するウェブ１６に塗布液を転移塗布する。
【００３４】
バー１２は回転駆動される構成でもよく、殆ど回転しない状態で支持されていてもよい。バー１２が回転駆動される場合、ウェブ１６の送り方向に対し、順転とすることもでき、逆転とすることもできる。
【００３５】
マニホールド２６、２８から過剰に供給された塗布液は、各コーターブロック２２、２４とウェブ１６との間からオーバーフローし、側溝２５、２７（図３参照）を介して回収される。なお、マニホールド２６、２８への塗布液の供給はマニホールド２６、２８の中央部から行なっても、又は端部から行なってもよい。
【００３６】
また、塗布ヘッド１４には、塗布液の給液幅規制及びオーバーフローした塗布液の排出（場合によってはリターン系を組み再利用）のためのサイドブロック２１、２３が設けられている。このサイドブロック２１、２３によって上記したスロット３０、３２のスロット幅が設定され、給液幅が規制されることによって、目標塗布幅が決まる。この場合、ウェブ１６に全幅塗布すると、塗布液のウェブ１６の裏面への裏回りが発生するので、目標塗布幅はウェブ１６の幅よりも狭く、両プレ塗布層の内側に設定され、ウェブ１６の両端に未塗布部分が形成されるように塗布される。
【００３７】
なお、給液幅の規制は、サイドブロック２１、２３によらない構成も可能である。この場合、スロット３０、３２の内部に幅規制板を配し、同様に作用を果たさせる。この構成であれば、異なる塗布幅の生産に柔軟に対応が可能である。
【００３８】
次に、本発明に係るバー塗布方法が適用される磁気記録媒体の塗布ラインのうち、バー塗布装置１０の作用について説明する。図４は、バー塗布装置１０を上方から見たもので、ウェブ１６に全幅塗布しないことを前提とした場合の、スロット端部３０Ａ、３２Ａとウェブ端部１６Ａとの関係を模式的に示した図である。
【００３９】
スロット３０、３２から押し出された塗布液は、ワイヤを巻いていないバー１２（いわゆる、フラットバー又はプレーンバー）により掻き上げられ、ウェブ１６に転移塗布される。これにより、ウェブ１６面に塗布膜が形成される。図４では、バー１２の面長はスロット幅（Ｌ１）よりも大きくなっている。なお、Ｌ６はウェブ幅である。
【００４０】
図４のバー塗布装置１０によれば、スロット端部３０Ａ、３２Ａ付近から押し出された塗布液はその表面張力により塗れ広がり、目標塗布幅に比べて塗布幅が広くなろうとするが、ウェブ１６の幅方向端部近傍のプレ塗布層Ｐ、Ｐが、先ずバー１２によって濡れ広がり、この濡れ広がったプレ塗布層Ｐ、Ｐにより、塗布液の濡れ広がりが抑え込まれるので、塗布幅がＬ４に止まり、塗れ広がることはない。
【００４１】
また、塗布液の濡れ広がりがスロット端部３０Ａ、３２Ａの外側に位置するプレ塗布層Ｐ、Ｐにより抑え込まれるので、これにより、塗布膜端部の厚さの違い（厚み偏差）も抑制できる。
【００４２】
本発明で使用されるウェブ１６としては、一般に幅０．３〜５ｍ、長さ４５〜１００００ｍ、厚さ５〜２００μｍのポリエチレンテレフタレート、ポリエチレン−２，６ナフタレート、セルロースダイアセテート、セルローストリアセテート、セルロースアセテートプロピオネート、ポリ塩化ビニル、ポリ塩化ビニリデン、ポリカーボネート、ポリイミド、ポリアミド等のプラスチックフィルム、紙、紙にポリエチレン、ポリプロピレン、エチレンブテン共重合体等の炭素数が２〜１０のα−ポリオレフイン類を塗布又はラミネートした紙、アルミニウム、銅、錫等の金属箔等、又は帯状基材の表面に予備的な加工層を形成させたものが含まれる。
【００４３】
塗布液の濡れ広がり方は、塗布液の物性（主に粘度、表面張力）、ウェブ１６の搬送速度、バー１２の外径、バーをワイヤバーとした場合のワイヤ径等の塗布条件によって若干の差があるが、本発明に用いられる塗布液は、ウェブ１６上に塗布膜を形成するためのものであればよく、公知のいずれの塗布液でもよい。
【００４４】
たとえば、液晶を含有している塗布液や、反射防止成分を含む液を塗布液に用いることができる。塗布液の物性は、有機溶剤系の場合には低粘度（通常０．５〜２０ｍＰａ・ｓ程度）であるが、１００ｍＰａ・ｓ程度までの高粘度塗布液に対しても、本発明は対応可能である。また、塗布液の表面張力範囲も特に限定されないが、１８０〜３５０μＮ／ｃｍ程度が好ましい適用範囲である。
【００４５】
以上、本発明に係るバー塗布方法の実施形態について説明したが、本発明は上記実施形態に限定されるものではなく、各種の態様が採り得る。
【００４６】
たとえば、本実施形態では、プレ塗布装置として注射器を使用したが、これに類似する公知の各種塗布手段、たとえば、ディスペンサー（マイクロシリンジ）等が採用できる。要は、ウェブ１６の幅方向端部近傍に前記塗布液と同一の液体を塗布して、幅狭なプレ塗布層を形成できればよい。
【００４７】
また、本実施形態では、バー塗布装置１０に使用されるバー１２としてワイヤを巻いていないバー１２（いわゆる、フラットバー又はプレーンバー）が使用されているが、ワイヤを巻いたバー（いわゆる、ワイヤバー）を使用してもよく、本実施形態と同様の効果が得られる。
【実施例】
【００４８】
次に、本発明の実施例（実施例１及び実施例２）を比較例と対比した結果について説明する。本発明の実施例１及び比較例として、図１に示される磁気記録媒体の塗布ラインを使用して塗布を行った。バー塗布装置１０としては、図２、図３及び図４に示される構成のものを使用した。
【００４９】
実施例２の装置としては、実施例１及び比較例と略同一としたが、プレ塗布装置７０としての注射器（実施例）に代えてディスペンサーを使用した。このディスペンサーは、管状のノズルの先端にフェルト部材を取り付け、前記塗布液と同一の液体がしみ出しながら塗布されるように構成した塗布装置である。
【００５０】
ウェブ１６には、幅が５２０ｍｍで厚さが９μｍＰＥＴ（ポリエチレンテレフタレート）を使用した。
【００５１】
比較例において、プレ塗布装置７０より供給する第１の塗布液（ダミー塗布液）として、シクロヘキサノン４００重量部とメチルエチルケトン１００重量部の混合溶媒を使用した。なお、第１の塗布液には、更に着色剤を添加し、未塗布部分（耳幅）の判別が容易なようにした。
【００５２】
プレ塗布装置７０及びバー塗布装置１０より供給する第２の塗布液として、シクロヘキサノン４００重量部とメチルエチルケトン１００重量部の混合溶媒に、５重量部のポリエステルウレタン樹脂を溶解させたものを使用した。
【００５３】
実施例１では、注射器より供給する第２の塗布液の量は、１個の注射器当り２〜５ｍＬ／分とし、プレ塗布層Ｐの塗布幅を２ｍｍとした。
【００５４】
比較例では、注射器より供給する第１の塗布液（ダミー塗布液）の量は、１個の注射器当り２〜５ｍＬ／分とし、ダミー塗布層Ｄの塗布幅を２ｍｍとした。
【００５５】
実施例２では、ディスペンサーより供給する第２の塗布液の量は、１個のディスペンサー当り２〜５ｍＬ／分とし、プレ塗布層Ｐの塗布幅を１０ｍｍとした。
【００５６】
バー塗布装置１０のスロット幅（図５のＬ１）は、６００ｍｍであり、スロット３０、３２内部に板を配し吐出幅を調整した。バー１２の直径は３ｍｍである。バー塗布装置１０より供給する第２の塗布液の量は２．０Ｌ／分とした。
【００５７】
バー塗布装置１０におけるバー１２へのウェブ１６の巻き掛け角度（ラップ角度）を１５度に、ウェブ１６の走行速度を２００ｍ／分に、ウェブ１６の張力（テンション）を１４７Ｎ／ｍ（１５ｋｇ／ｍ）に、各例（実施例１、実施例２、比較例）で統一して設定した。
【００５８】
各種の条件（バー塗布装置１０における塗布液の吐出幅、注射針位置、ディスペンサーの端部位置、ディスペンサーからの前記塗布液と同一の液体流量）を変えて実験を行った。以下、順に説明する。
【００５９】
（実施例１）
プレ塗布装置７０（注射器）により着色剤を添加した第２の塗布液をウェブ１６上の端部近傍に塗布し、第２の塗布液を、塗布ヘッド１４からウェブ１６上に塗布した。
【００６０】
バー塗布装置１０における塗布液の吐出幅を５１０ｍｍに統一し、注射針位置をウェブ１６の端部から２、３、及び４ｍｍに変化させ、バー塗布装置１０でウェブ１６に塗布された塗布膜端部の耳Ｒの有無、及び裏回りや液はねの状況を観察するとともに、総合判定（×：不良、△：マージナル、○：良好、の３段階評価）を行った。結果を図５の表に示す。
【００６１】
図５の表における例１１は、注射針位置をウェブ１６の端部から４ｍｍに設定したものである。耳（未塗布部の幅）は３ｍｍで安定した。塗布膜を観察したところ、裏回りや液はねはなく、総合判定は△であった。
【００６２】
図５の表における例１２は、注射針位置をウェブ１６の端部から３ｍｍに設定したものである。耳（未塗布部の幅）は２ｍｍで安定した。塗布膜を観察したところ、裏回りや液はねはなく、総合判定は○であった。
【００６３】
図５の表における例１３は、注射針位置をウェブ１６の端部から２ｍｍに設定したものである。耳（未塗布部の幅）は１ｍｍで安定した。塗布膜を観察したところ、裏回りや液はねはなく、総合判定は○であった。
【００６４】
図５の表における例１４は、注射針位置をウェブ１６の端部から４ｍｍに設定したものである。注射針からの第１の塗布液の吐出量をやや増加させ、塗り付き幅を２→４ｍｍに調整したところ、端部の位置は２ｍｍのままで、変動がやや目立つようになった。塗布膜を観察したところ、裏回りや液はねはなく、総合判定は○→△であった。
【００６５】
（実施例２）
プレ塗布装置７０（ディスペンサー）により着色剤を添加した第２の塗布液をウェブ１６上の端部近傍に塗布し、第２の塗布液を、塗布ヘッド１４からウェブ１６上に塗布した。
【００６６】
バー塗布装置１０における塗布液の吐出幅を５１０ｍｍに統一し、ディスペンサーの端部位置をウェブ１６の端部から３ｍｍ及び４ｍｍに変化させ、ディスペンサーからの前記塗布液と同一の液体流量を２、４及び５ｍｌに変化させ、バー塗布装置１０でウェブ１６に塗布された塗布膜端部の耳Ｒの有無、及び裏回りや液はねの状況を観察するとともに、総合判定（×：不良、△：マージナル、○：良好、の３段階評価）を行った。結果を図６の表に示す。
【００６７】
図６の表における例２１は、ディスペンサーの端部位置をウェブ１６の端部から３ｍｍに設定し、ディスペンサーからの前記塗布液と同一の液体流量を２ｍｌに設定したものである。耳（未塗布部の幅）は２ｍｍで安定した。塗布膜を観察したところ、裏回りや液はねはなく、総合判定は○であった。
【００６８】
図６の表における例２２は、ディスペンサーの端部位置をウェブ１６の端部から４ｍｍに設定し、ディスペンサーからの前記塗布液と同一の液体流量を２ｍｌに設定したものである。耳（未塗布部の幅）は３ｍｍで安定した。塗布膜を観察したところ、裏回りや液はねはなく、総合判定は○△であった。
【００６９】
図６の表における例２３は、ディスペンサーの端部位置をウェブ１６の端部から４ｍｍに設定し、ディスペンサーからの前記塗布液と同一の液体流量を４ｍｌに設定したものである。耳（未塗布部の幅）は２ｍｍで安定した。塗布膜を観察したところ、裏回りや液はねはなく、総合判定は○であった。
【００７０】
図６の表における例２４は、ディスペンサーの端部位置をウェブ１６の端部から４ｍｍに設定し、ディスペンサーからの前記塗布液と同一の液体流量を５ｍｌに設定したものである。耳（未塗布部の幅）は２ｍｍで、やや変動が目立った。塗布膜を観察したところ、裏回りや液はねはなく、総合判定は△であった。
【００７１】
（比較例）
プレ塗布装置７０（注射器）により第１の塗布液（ダミー塗布液）をウェブ１６上の端部近傍に塗布し、第２の塗布液を、塗布ヘッド１４からウェブ１６上に塗布した。
【００７２】
バー塗布装置１０における塗布液の吐出幅を５００〜５２０ｍｍに変化させ、注射針位置をウェブ１６の端部から１ｍｍ及び２ｍｍに変化させ、バー塗布装置１０でウェブ１６に塗布された塗布膜端部の耳Ｒの有無、及び裏回りや液はねの状況を観察するとともに、総合判定（×：不良、△：マージナル、○：良好、の３段階評価）を行った。結果を図７の表に示す。
【００７３】
図７の表における例５１は、バー塗布装置１０における塗布液の吐出幅を５００ｍｍに設定し、注射針位置をウェブ１６の端部から２ｍｍに設定したものである。塗布液の塗り広がりが不十分であり、耳（未塗布部の幅）は５〜１０ｍｍで不安定であった。総合判定は×であった。
【００７４】
図７の表における例５２は、バー塗布装置１０における塗布液の吐出幅を５２０ｍｍに設定し、注射針位置をウェブ１６の端部から２ｍｍに設定したものである。ウェブ１６の端部から１〜４ｍｍの間に未塗布部ができるものの、最端部に塗布液が塗られてしまい、裏回りを生じた。総合判定は×であった。
【００７５】
図７の表における例５３は、バー塗布装置１０における塗布液の吐出幅を５１０ｍｍに設定し、注射針位置をウェブ１６の端部から２ｍｍに設定したものである。耳（未塗布部の幅）は４ｍｍで安定しているものの、狙いとする２ｍｍの幅と異なった。総合判定は×であった。
【００７６】
図７の表における例５４は、バー塗布装置１０における塗布液の吐出幅を５１０ｍｍに設定し、注射針位置をウェブ１６の端部から１ｍｍに設定したものである。耳（未塗布部の幅）は２〜３ｍｍで略安定しているものの、前記塗布液と同一の液体がウェブ１６の端部からはみ出し、裏回りや液はねを生じた。総合判定は×であった。
【００７７】
以上の結果より、ウェブ１６の幅方向両端部よりそれぞれ所定距離内側に前記塗布液と同一の液体を塗布してプレ塗布層を形成し、このプレ塗布層形成後に、両プレ塗布層の内側部分に塗布液を塗布すれば、塗布幅の規制が良好に行え、また、塗布液がウェブ１６の裏面へ回り込む裏回りや液はねの防止もできることが確認された。
【図面の簡単な説明】
【００７８】
【図１】本発明に係るバー塗布方法が適用される磁気記録媒体の塗布ラインの構成図
【図２】図１のバー塗布装置の構成を示す断面図
【図３】図１のバー塗布装置の一部を切り欠いて内部が見えるようにした斜視図
【図４】バー塗布装置においてスロット端部とウェブ端部との関係を示す模式図
【図５】実施例１の結果を示す表
【図６】実施例２の結果を示す表
【図７】比較例の結果を示す表
【図８】ウェブに塗布層を形成している状態を示す拡大図であり、裏回りや液はねを説明する模式図
【符号の説明】
【００７９】
１０…バー塗布装置、１２…バー、１４…塗布ヘッド、１６…ウェブ、１８…ガイドローラ、２０…バックアップ部材、２１、２３…サイドブロック、２２、２４…コーターブロック、２６、２８…マニホールド、３０、３２…スロット、３０Ａ、３２Ａ…スロット端部、３４…１次側塗布ビード、３６…２次側塗布ビード、６６…送り出し機、６８…ガイドローラ、７０…プレ塗布装置、７６…乾燥ゾーン、７８…加熱ゾーン、８２…巻取り機、Ｄ…ダミー塗布層、Ｐ…プレ塗布層
【図１】
2006081996.tif 000003
【図２】
2006081996.tif 000004
【図３】
2006081996.tif 000005
【図４】
2006081996.tif 000006
【図５】
2006081996.tif 000007
【図６】
2006081996.tif 000008
【図７】
2006081996.tif 000009
【図８】
2006081996.tif 000010